(57)【要約】【課題】  クリーミーで肌理の細かい泡を発生させることができる泡発生装置を提供する。【解決手段】  泡発生装置１は、洗剤Ｗを収容する容器本体２と、容器本体２内の洗剤Ｗ内に空気を供給して洗剤Ｗの泡Ｂ１を発生させる空気供給手段１５と、容器本体２内に発生した洗剤Ｗの泡Ｂ１を通過させて吐出させる吐出管２０が設けられている。吐出管２０内には、吐出管２０内を通過する洗剤の泡Ｂ１を粉砕する粉砕手段３０が設けられている。【選択図】図４
2010178976.tif 000002
【特許請求の範囲】
【請求項１】
洗剤を収容する容器本体と、
容器本体内の洗剤内に空気を供給して洗剤の泡を発生させる空気供給手段と、
容器本体内に発生した洗剤の泡を通過させて吐出させる吐出管が設けられた泡発生装置において、
吐出管内には、吐出管内を通過する洗剤の泡を粉砕する粉砕手段が設けられていることを特徴とする泡発生装置。
【請求項２】
前記吐出管の吐出口には、粉砕手段によって粉砕された泡を通過させるフィルターが設けられていることを特徴とする請求項１記載の泡発生装置。
【請求項３】
前記粉砕手段は、回転軸と、回転軸に固定された切断刃と、回転軸を回転させる駆動手段とからなることを特徴とする請求項１又は２記載の泡発生装置。
【発明の詳細な説明】
【技術分野】
【０００１】
本発明は、洗剤に空気を送り込んで泡を発生させて吐出管から泡を吐出させる泡発生装置に関する。
【背景技術】
【０００２】
従来、泡発生装置は、洗剤を収容する容器本体と、容器本体内の洗剤内に空気を供給して洗剤の泡を発生させる空気供給手段と、容器本体内に発生した洗剤の泡を通過させて吐出させる吐出管とからなる（例えば、特許文献１〜３）。また、発生させた泡を均一にして吐出管の吐出口から吐出させるために吐出口にフィルターを設けたものが存在した（例えば、特許文献４、５）。
【先行技術文献】
【特許文献】
【０００３】
【特許文献１】特開２００２−７８６２８号公報
【特許文献２】特開平１０−１３７１５３号公報
【特許文献３】特開２００３−３３２９２号公報
【特許文献４】特開２００５−６２１号公報
【特許文献５】特開２００７−２１４６６号公報
【発明の概要】
【発明が解決しようとする課題】
【０００４】
上記した泡発生装置は、発生する泡のサイズが大きいので、泡の密度が低く、そのため、クリーミー感、即ち、クリームのように柔らかでなめらかな態様、弾力感、しっとり感がないという問題点があった。また、上記した泡発生装置は、発生する泡のサイズが大きいので、吐出口のフィルターに目詰まりを起こし、泡のスムーズな吐出ができなくなるという問題点があった。
【０００５】
本願発明は、上記問題点に鑑み案出したものであって、発生させた泡を吐出管から吐出する前に粉砕手段により細かく粉砕して微細化し、もってフィルターの目詰まりをなくしてスムーズで迅速な泡の吐出を可能にし、しかも吐出される泡のサイズを微細化するので、泡の密度が高く、クリーミー感、弾力感、しっとり感が得られ、さらに肌理が細かいので、理美容効果をも期待できる泡を発生させることができる泡発生装置を提供することを目的とする。
【課題を解決するための手段】
【０００６】
本願請求項１記載の泡発生装置は、上記第１の目的を達成するため、洗剤を収容する容器本体と、容器本体内の洗剤内に空気を供給して洗剤の泡を発生させる空気供給手段と、容器本体内に発生した洗剤の泡を通過させて吐出させる吐出管が設けられた泡発生装置において、吐出管内には、吐出管内を通過する洗剤の泡を粉砕する粉砕手段が設けられていることを特徴とする。
【０００７】
本願請求項２記載の泡発生装置は、上記第１の目的を達成するため、前記吐出管の吐出口には、粉砕手段によって粉砕された泡を通過させるフィルターが設けられていることを特徴とする。
【０００８】
本願請求項３記載の泡発生装置は、上記第１の目的を達成するため、前記粉砕手段は、回転軸と、回転軸に固定された切断刃と、回転軸を回転させる駆動手段とからなることを特徴とする。
【発明の効果】
【０００９】
本願発明に係る泡発生装置は、空気供給手段により容器本体内に空気を供給すると、供給された空気が洗剤内において気泡となり、容器本体内において洗剤の泡を発生させ、この洗剤の泡が吐出管を通過して外に吐出させられる。この吐出管内には、吐出管内を通過する洗剤の泡を粉砕する粉砕手段が設けられているので、発生した泡をそのまま通過させるのではなく微細化する。
【００１０】
このように本願発明に係る泡発生装置は、吐出する泡のサイズが小さく密度が高いので、クリームのように柔らかで滑らかであり、弾力感、しっとり感があり、肌理が細かく、理美容効果を期待できる泡を発生させることができるという効果がある。また、本願発明に係る泡発生装置は、粉砕手段によって吐出管内を通過する洗剤の泡を粉砕して微細化するので、吐出口に設けられたフィルターの目詰まりをなくしてスムーズで迅速な泡の吐出を可能にすることができるという効果がある。
【図面の簡単な説明】
【００１１】
【図１】本願発明に係る泡発生装置の全体断面側面図である。
【図２】図１の泡発生装置の全体側面図である。
【図３】図１の泡発生装置の要部正面図である。
【図４】図１の泡発生装置の動きを説明する説明図である。
【図５】泡の状態を説明する説明図である。
【発明を実施するための形態】
【００１２】
本願発明の一つの実施の形態の概要を図１乃至図５に基づいて説明する。泡発生装置１は、洗剤Ｗを収容する容器本体２と、容器本体２内の洗剤Ｗ内に空気を供給して洗剤Ｗの泡Ｂ１を発生させる空気供給手段１５と、容器本体２内に発生した洗剤Ｗの泡Ｂ１を通過させて吐出させる吐出管２０が設けられている。吐出管２０内には、吐出管２０内を通過する洗剤の泡Ｂ１を粉砕する粉砕手段３０が設けられている。
【００１３】
前記吐出管２０の吐出口２５には、粉砕手段３０によって粉砕された泡Ｂ３を通過させるフィルター２６，２７が設けられている。前記粉砕手段３０は、回転軸３１と、回転軸３１に固定された切断刃３２と、回転軸３１を回転させる駆動手段４０とからなる。
【００１４】
泡発生装置１は、空気供給手段１５により容器本体２内に空気を供給すると、供給された空気が洗剤Ｗ内において気泡となり、容器本体２内において洗剤Ｗの泡Ｂ１を発生させ、この洗剤Ｗの泡Ｂ１が吐出管２０を通過して外に吐出させられる。この吐出管２０内には、吐出管２０内を通過する洗剤Ｗの泡Ｂ１を粉砕する粉砕手段３０が設けられているので、発生した泡Ｂ１をそのまま通過させるのではなく微細化する。
【００１５】
このように泡発生装置１は、吐出させた泡Ｂ３のサイズが小さく密度が高いので、クリームのように柔らかで滑らかであり、弾力感、しっとり感があり、肌理が細かく、理美容効果を期待できる泡Ｂ３を発生させることができる。また、泡発生装置１は、粉砕手段３０によって吐出管２０内を通過する洗剤Ｗの泡Ｂ１を粉砕して微細化するので、吐出口２５に設けられたフィルター２６，２７の目詰まりをなくしてスムーズで迅速な泡Ｂ３の吐出を可能にすることができる。
【００１６】
さらに、泡発生装置１について詳細に説明する。容器本体２は、底壁３と、底壁３の一方に形成された洗剤収容体５と、底壁３の他方に形成された空気供給管６とで構成されている。洗剤収容体５は、周壁７と、周壁７の上端開口部を塞ぐ上壁８とからなる。空気供給管６の下端と洗剤収容体５の下端は、連通管９によって連通してる。空気供給管６は、上端開口に空気ポンプ（空気供給手段）１５の空気排出管１６の先端が接続されている。
【００１７】
前記上壁８には、略直角に折曲された円筒状の吐出管２０が固定されている。吐出管２０は、垂直管２１と水平管２２とからなり、垂直管２１に吸入口２３が形成され、水平管２２に吐出口２５が形成されている。吐出管２０は、垂直管２１が上壁８に固定され、吸入口２３が洗剤収容体５内に位置している。垂直管２１の吸入口２３は、洗剤収容体５の洗剤Ｗ内に没入しないようになっている。吐出管２０の吐出口２５近傍には、洗剤の泡を細粒化するメッシュ状の第１の泡吐出側フィルター２６と第２の泡吐出側フィルター２７が所定間隔あけて連続して配置されている。
【００１８】
洗剤収容体５内には、メッシュ状のフィルター１１，１２，１３が設けられている。第１の気泡発生フィルター１１は、最下部に位置している。第２の気泡発生フィルター１２は、第１の気泡発生フィルター１１の直上に位置している。この第１の気泡発生フィルター１１及び第２の気泡発生フィルター１２は、洗剤内に浸かるようになっており、気泡を細粒化する。泡吸入側フィルター１３は、洗剤Ｗの液面Ｗ１上部に位置し、洗剤収容体５内に発生する初期泡Ｂ１を細粒化する。
【００１９】
吐出管２０には、吐出管２０内を通過する洗剤の泡を粉砕する粉砕手段３０が設けられている。粉砕手段３０は、回転軸３１と、回転軸３１に固定された切断刃３２と、回転軸３１を回転させる駆動装置（駆動手段）４０とからなる。回転軸３１は、円筒状の軸受けボス３５に転がり軸受け３６を介して回動可能に取り付けられている。軸受けボス３５は、吐出管２０の屈曲部２０ａに固定して取り付けられ、回転軸３１が吐出管２０の水平管２２と略同一軸心となるように配置されている。
【００２０】
回転軸３１には、略十字状に切断刃３２が取り付けられた円筒状の取付部材３７が固定して取り付けられている。取付部材３７は、スプライン、キー、ネジ等の固定手段によって回転軸３１に固定して取り付けられるが、状況に合わせて固定手段を変更することは設計技術上当然のことである。回転軸３１に切断刃３２を直接設けることが可能であることは言うまでもない。
【００２１】
回転軸３１には、切断刃３２が略４５度ずつずれるようにして４つの取付部材３７が固定されているので、４つの切断層を備えていることになる。切断刃３２は、回転軸３１によって吐出管２０内を回転するが、切断刃３２の先端が吐出管２０の内径近傍まで伸びているので、吐出管２０内を通過する洗剤の泡Ｂ２を隈無く粉砕する。切断刃３２は、洗剤の泡を粉砕する目的で形成されているので、物を現実に細断する程の切れを必要とはしない。また、切断刃３２は、水平管２２の軸方向と略直角となるように取付部材３７に固定されているが、プロペラのように傾けても構わない。切断刃３２は、プロペラのように傾けることによって、泡の切断と同時に泡を吐出口２５方向へ送り出すことができる。
【００２２】
吐出管２０には、回転軸３１を回転させる駆動装置（駆動手段）４０が設けられている。駆動装置（駆動手段）４０は、駆動モータ４１と、駆動モータ４１の駆動軸４２に設けられた駆動歯車４３と、駆動歯車４３と噛み合う平歯車４５と、平歯車４５の中心軸４６と回転軸３１の端部に設けられた固定軸４７を連結するジョイント４９とで構成されている。この駆動装置（駆動手段）４０は、吐出管２０の側面に取り付けられた駆動ケース５０内に収納されている。駆動装置（駆動手段）４０は、回転軸３１を回転させる構成であれば、上記構成に限定されるものでないことは当然であり、設計技術上種々変更が可能である。また、駆動装置（駆動手段）４０は、吐出管２０に取り付けられなくても構わないのは当然である。
【００２３】
泡発生装置１は、上記構成を有し、以下のように使用することができる。空気ポンプ１５を作動すると、圧縮空気が空気排出管１６、空気供給管６、連通管９を介して容器本体２内の底壁３近傍に送られる。この送られた空気が第１の気泡発生フィルター１１及び第２の気泡発生フィルター１２を通過して容器本体２の洗剤Ｗ内に気泡を発生させ、洗剤Ｗの液面Ｗ１上に大量の初期泡Ｂ１を発生させる。この初期泡Ｂ１は、泡吸入側フィルター１３を通過することによって、若干小さくなって中間泡Ｂ２となり、吐出管２０の吸入口２３から吸入されて吐出口２５から吐出される。
【００２４】
駆動モータ４１を駆動すると、駆動軸４２、駆動歯車４３、平歯車４５、中心軸４６、ジョイント４９、固定軸４７を介して回転軸３１が回転する。回転軸３１の回転に従って、各切断刃３２も回動する。上記したように吐出管２０の吸入口２３から吸入されて吐出口２５から吐出される中間泡Ｂ２は、吐出管２０内を通過する際、切断刃３２によって粉砕され、微細化されて最終泡Ｂ３となる。なお、泡吸入側フィルター１３を外した状態で発生する初期泡Ｂ１であっても、吐出管２０内を通過する際、切断刃３２によって粉砕され、微細化されて最終泡Ｂ３となる。最終泡Ｂ３は、極小サイズとなっているので、第１の泡吐出側フィルター２６及び第２の泡吐出側フィルター２７を目詰まりすることなくスムーズ且迅速に通過する。このように泡発生装置１によって発生させられた泡Ｂ３は、密度が高いので、クリームのように柔らかで滑らかであり、弾力感、しっとり感がある。また、肌理が細かいので、肌に浸透し易く、理美容効果を期待できる。
【実施例】
【００２５】
（ａ）泡発生装置１において、泡吸入側フィルター１３、第１の泡吐出側フィルター２６及び第２の泡吐出側フィルター２７を外し、切断刃３２を回転させない状態の時に、空気ポンプ１５を作動すると、泡サイズの大きく肌理の粗い初期泡Ｂ１（図５（ｃ）参照）がそのまま吐出管２０から吐出された。
（ｂ）泡発生装置１において、泡吸入側フィルター１３を外し、第１の泡吐出側フィルター２６及び第２の泡吐出側フィルター２７を取り付け、切断刃３２を回転させない状態の時に、空気ポンプ１５を作動すると、（ａ）よりも泡サイズが小さくはなったもののまだ肌理が粗くムラのある中間泡Ｂ２（図５（ｂ）参照）がそのまま吐出管２０から吐出された。
（ｃ）泡発生装置１において、泡吸入側フィルター１３、第１の泡吐出側フィルター２６及び第２の泡吐出側フィルター２７を取り付け、切断刃３２を４層状態にして回転させた状態の時に、空気ポンプ１５を作動すると、泡サイズが小さくて肌理が細かくムラのない最終泡Ｂ３（図５（ａ）参照）がそのまま吐出管２０から吐出された。
（ｄ）切断刃の厚みを２ｍｍ、１ｍｍ、０．５ｍｍと変更すると、２ｍｍでも十分効果の高いクリーミーな泡をムラなく発生したが、０．５ｍｍの厚みが最も良好であった。なお、上記実施例のフィルターは、素材がポリエステル繊維で、メッシュの径サイズが約０．３ｍｍのものを使用した。
【産業上の利用可能性】
【００２６】
本願発明は、泡の密度が高く、クリーミー感、弾力感、しっとり感が得られ、さらに肌理が細かいので、理美容効果をも期待できる泡を発生させることが洗顔用泡発生装置に利用可能である。
【符号の説明】
【００２７】
Ｗ  洗剤
Ｗ１  液面
Ｂ１  初期泡
Ｂ２  中間泡
Ｂ３  最終泡
１  泡発生装置
２  容器本体
３  底壁
５  洗剤収容体
６  空気供給管
７  周壁
８  上壁
９  連通管
１１  第１の気泡発生フィルター
１２  第２の気泡発生フィルター
１３  泡吸入側フィルター
１５  空気ポンプ（空気供給手段）
１６  空気排出管
２０  吐出管
２０ａ  屈曲部
２１  垂直管
２２  水平管
２３  吸入口
２５  吐出口
２６  第１の泡吐出側フィルター
２７  第２の泡吐出側フィルター
３０  粉砕手段
３１  回転軸
３２  切断刃
３５  軸受けボス
３６  転がり軸受け
３７  取付部材
４０  駆動装置（駆動手段）
４１  駆動モータ
４２  駆動軸
４３  駆動歯車
４５  平歯車
４６  中心軸
４７  固定軸
４９  ジョイント
５０  駆動ケース
【図１】
2010178976.tif 000003
【図２】
2010178976.tif 000004
【図３】
2010178976.tif 000005
【図４】
2010178976.tif 000006
【図５】
2010178976.tif 000007